(57)【要約】【課題】  値下げ商品（見切商品）についてレジにおける値引き忘れを防止するため、値下げ前の価格情報の取消しを確実に行うことができるバーコードの目隠し用ラベルの貼付方法およびバーコードの目隠し用ラベルを提供する。【解決手段】  矩形状を呈した幅広の第一の目隠し部３と、幅狭な第二の目隠し部４とを一体形成し、かつ、第一の目隠し部３および第二の目隠し部４により第三の目隠し部Ｌ３が形成されたラベル本体１を、突出した第一の目隠し部３、または第二の目隠し部４、もしくは第三の目隠し部が、対象商品における値下げ前の価格情報を含んだバーコード１３に掛かるよう、バーコードの幅に見合う第一ないし第三の目隠し部を選択して貼り付け、値下げ前価格のバーコード１３を読み取り不能とすることを特徴とする。【選択図】        図３
2007176558.tif 000002
【特許請求の範囲】
【請求項１】
矩形状を呈した幅広の第一の目隠し部と、矩形状を呈し前記第一の目隠し部より幅狭な第二の目隠し部とを一体形成し、かつ、前記第一の目隠し部および第二の目隠し部により第三の目隠し部が形成されたラベル本体を、突出した前記第一の目隠し部、または第二の目隠し部、もしくは第三の目隠し部が、対象商品における値下げ前の価格情報を含んだバーコードに掛かるよう、バーコードの幅に見合う前記第一ないし第三の目隠し部を選択して貼り付け、値下げ前価格のバーコードを読み取り不能とすることを特徴とするバーコードの目隠し用ラベルの貼付方法。
【請求項２】
前記第一の目隠し部と、第二の目隠し部とは、ほぼＬ字状を呈する形状に一体形成されていることを特徴とする請求項１に記載のバーコードの目隠し用ラベルの貼付方法。
【請求項３】
前記第一の目隠し部と、第二の目隠し部とは、直線状に一体形成され、前記直線状の長辺部が前記第三の目隠し部となっていること特徴とする請求項１に記載のバーコードの目隠し用ラベルの貼付方法。
【請求項４】
矩形状を呈した幅広の第一の目隠し部と、矩形状を呈し前記第一の目隠し部より幅狭な第二の目隠し部とを一体形成し、かつ、前記第一の目隠し部および第二の目隠し部により第三の目隠し部が形成されたラベル本体を、突出した前記第一の目隠し部、または第二の目隠し部、もしくは第三の目隠し部が、対象商品における値下げ前の価格情報を含んだバーコードに掛かるよう、バーコードの幅に見合う前記第一ないし第三の目隠し部を選択して貼り付け、値下げ前価格のバーコードを読み取り不能とする方法に用いることを特徴とするバーコードの目隠し用ラベル。
【発明の詳細な説明】
【技術分野】
【０００１】
本発明は、特に、価格の変更、すなわち、値下げ実行時、表示していた値下げ前価格情報のバーコードの取消しを確実に行うことができるバーコードの目隠し用ラベルの貼付方法およびバーコードの目隠し用ラベルに関する。
【背景技術】
【０００２】
従来から小売り流通業界では、客寄せのために、「雨の日サービス」や消費期限が近づいた商品の値下げ（通称「マークダウン」、「見切」などとも呼ばれる）が行われているが、マークダウンをアナウンスしたにも拘わらずマークダウンが実施されずに信用を落とすことがあり、これを防止する手段の一つとして、マークダウンの表示のほか、商品の実質的に値下げ前の価格情報を含んだバーコードが、誤ってレジで読み込まれないようにするために、そのバーコードの少なくとも一部を目隠しして、そのバーコードを読み込もうとしたときにはエラーを発して、値下げ価格バーコードを読み取らなければならないことを気付かせることが行われている。
【０００３】
特許文献１には、値下げ前の価格情報を含んだバーコードを備えた値下げ対象の商品に対して、値下げ価格バーコードラベルの目隠し部をそのバーコードの上に貼り付けながら脆く繋がった部分で千切り、その後、目隠し部以外の値下げ価格バーコードラベルの本体を値下げ対象の商品上に貼付する値下げ価格バーコードラベルおよびその貼付方法が記載されている。
【０００４】
しかしながら、上記特許文献１の発明によると、値下げ前の価格情報を含んだバーコードと、値下げ価格バーコードラベルとが、それぞれ商品上の任意の位置に貼付けられるため、レジで価格のバーコードをスキャンする際にバーコードを見分ける必要があり、操作が煩雑となる欠点がある。
【０００５】
また、値下げ前の価格情報を含んだバーコードに値下げ価格バーコードラベルの一部（目隠し部）を千切って貼り付けるものであるため、目隠し部がバーコード以外の部分に誤って貼り付いてしまうと、そのまま破けてしまい易く、取り扱いが難しいという問題もある。
【０００６】
さらに、値下げ前の価格情報を含んだバーコードに目隠し部を貼り付けた際、目隠し部分が小さいとバーコードの天地の幅の一部が隠し切れず、バーコードとして連続した箇所が生じて読取れてしまうことがあるという問題があった。
【特許文献１】特開２０００−３４４２１８号公報
【発明の開示】
【発明が解決しようとする課題】
【０００７】
本発明は、上記の問題点に着目してなされたもので、値下げ商品（見切商品）についてレジにおける値引き忘れを防止するため、値下げ前の価格情報の取消しを確実に行うことができるバーコードの目隠し用ラベルの貼付方法およびバーコードの目隠し用ラベルを提供しようとするものである。
【課題を解決するための手段】
【０００８】
上記課題を解決するため、本発明に係るバーコードの目隠し用ラベルの貼付方法は、矩形状を呈した幅広の第一の目隠し部と、矩形状を呈し前記第一の目隠し部より幅狭な第二の目隠し部とを一体形成し、かつ、前記第一の目隠し部および第二の目隠し部により第三の目隠し部が形成されたラベル本体を、突出した前記第一の目隠し部、または第二の目隠し部、もしくは第三の目隠し部が、対象商品における値下げ前の価格情報を含んだバーコードに掛かるよう、バーコードの幅に見合う前記第一ないし第三の目隠し部を選択して貼り付け、値下げ前価格のバーコードを読み取り不能とすることを特徴とする。
また、第一の目隠し部と、第二の目隠し部とは、ほぼＬ字状を呈する形状に一体形成されるようにできる。
また、第一の目隠し部と、第二の目隠し部とは、直線状に一体形成され、直線状の長辺部を第三の目隠し部とすることができる。
さらに、本発明に係るバーコードの目隠し用ラベルは、矩形状を呈した幅広の第一の目隠し部と、矩形状を呈し前記第一の目隠し部より幅狭な第二の目隠し部とを一体形成し、かつ、前記第一の目隠し部および第二の目隠し部により第三の目隠し部が形成されたラベル本体を、突出した前記第一の目隠し部、または第二の目隠し部、もしくは第三の目隠し部が、対象商品における値下げ前の価格情報を含んだバーコードに掛かるよう、バーコードの幅に見合う前記第一ないし第三の目隠し部を選択して貼り付け、値下げ前価格のバーコードを読み取り不能とする方法に用いることを特徴とする。
【発明の効果】
【０００９】
本発明によれば、幅広の第一の目隠し部と、幅狭な第二の目隠し部とを一体形成し、かつ、第一の目隠し部および第二の目隠し部により第三の目隠し部が形成されたラベル本体を用い、前記第一の目隠し部、または第二の目隠し部、もしくは長辺部の第三の目隠し部が、対象商品における値下げ前の価格情報を含んだバーコードに掛かるよう、バーコードの幅に見合う前記第一ないし第三の目隠し部を選択して貼り付けるようにしたので、１つのラベル本体で数種類の天地幅の値下げ前の価格を含んだバーコードを読み取り不能とすることができ、もって誤って値下げ前の価格情報を含むバーコードをスキャン（読取り）してしまうのを防止できる。
【００１０】
また、第一の目隠し部と、第二の目隠し部とを、ほぼＬ字状を呈する形状に一体形成すれば、第一および第二の目隠し部が突出しているので、値下げ前の価格情報が含まれるバーコードに隣接して製造責任者や消費期限、原材料名やＰＲ情報が併記されている場合には、これらの有用情報をラベル本体が覆い隠してしまう不都合を解消でき、有用情報の活用が図れる。
【００１１】
また、第一の目隠し部と、第二の目隠し部とを、直線状に一体形成し、直線状の長辺部を第三の目隠し部とすれば、値下げ前の価格情報が含まれるバーコードの先端部分、または、中央部位の広い範囲を覆い隠すことができるため、より確実にバーコードの読取りを不能とすることができる。
【発明を実施するための最良の形態】
【００１２】
以下、本発明の実施の形態を図示例と共に説明する。
【００１３】
図１ないし図５は本発明の一実施の形態を示す図であり、図１は、目隠し用ラベルとしてのラベル本体１が台紙２に複数枚仮着されている状態を示す説明図である。
ラベル本体１は、表面側が無地で、かつ、裏面側は図示省略の粘着剤を介して台紙２に仮着されており、さらに、幅広で突出した第一の目隠し部３と、同様に突出した幅狭の第二の目隠し部４を備え、前記矩形状の第一の目隠し部３と、矩形状の第二の目隠し部４とが９０度の方向に突出するよう、ほぼＬ字形状を呈して一体形成されている。第一の目隠し部３の幅はＬ１、第二の目隠し部４の幅はＬ２とされ、上記幅Ｌ１、Ｌ２は各々後述する「バーコード」の天地方向の「バーコード幅」のうち、よく使用されるバーコード幅より若干大きく形成されている。また、Ｌ字形状の長手方向の一辺（長辺部）はＬ３、Ｌ字形状の短辺方向の他辺（短辺部）はＬ４となっており、前記幅Ｌ１、Ｌ２、および辺Ｌ３、Ｌ４の長さの関係は、Ｌ３＞Ｌ４＞Ｌ１＞Ｌ２とされる。
そして、価格の変更時、すなわち、値下げ実行（マークダウン）時、ラベル本体１を台紙２より剥がし「値下げ前価格のバーコード」に貼り付けて同バーコードの一部を覆い隠し、バーコードをスキャンする（読取る）ことを防止しようとするものである。
【００１４】
次に、主に、図２および図３に基づき、目隠し用ラベル（ラベル本体）１の使用状態を説明する。
図２は、図示省略のトレーなどに載せられてラッピングされた対象商品１０としての食品の表面に、食品ラベル１１と商品値下げラベル１２が貼付された状態を示す概略斜視説明図である。
食品ラベル１１には、商品名、加工日、消費期限、価格、製造者、販売者などの情報と、値下げ前の価格情報を含んだバーコード（以下、適宜、単に「値下げ前バーコード」と称す）１３が表示されている。
他方、商品値下げラベル１２は、値下げ価格幅（図示の例では、「表示価格の２０％引き」）や値下げ価格情報を含んだバーコード（以下、適宜、単に「値下げ価格バーコード」と称す）１４が表示されており、先の食品ラベル１１とは別個に貼られている。
上記対象商品１０をレジにて精算する場合、食品ラベル１１の値下げ前バーコード１３と、商品値下げラベル１２の値下げ価格バーコード１４の両方が混在するため、スキャナ（読取り装置）で読取る際レジの係員が間違えて値下げ前バーコード１３をスキャン（読取り）すると値下げが行われない状態となるため、値下げ前バーコード１３を目隠ししようとするものである。
【００１５】
図３は、食品ラベル１１の値下げ前バーコード１３に対し、目隠し用ラベルとしてのラベル本体１を貼り付けた状態を示す説明図である。同図に示すように、ラベル本体１のうち、値下げ前バーコード１３の天地方向のバーコード幅より若干幅広の第一の目隠し部３を選択してその突出した幅Ｌ１の部分にて値下げ前バーコード１３の先端部分を覆い隠すように貼付したものである。このように値下げ前バーコード１３の天地方向のバーコード幅に見合うラベル本体１の第一の目隠し部３にて値下げ前バーコード１３を覆い隠すことにより、同バーコード１３は確実に読取り不可能な状態になる。このため、商品値下げラベル１２が貼られているにも拘らず、レジで係員が間違って食品ラベル１１を読取ったとしても読取れないため、他のラベル（商品値下げラベル）１２の存在を知ることができ、もってレジにおける値下げ忘れ処理を防止できる。
また、Ｌ字形状の突出した第一の目隠し部３により値下げ前バーコード１３の先端部分を覆い隠すようにしたので、同バーコード１３に隣接して表示された消費期限などＪＡＳ法で定められた必要情報は隠されることなく表示されものである。
【００１６】
図４は、目隠し用ラベルとしてのラベル本体１の他の使用例を示す図３相当の説明図である。同図に示すように、ラベル本体１の第二の目隠し部４にて食品ラベル１５の値下げ前バーコード１６の先端部分を覆い隠した例を示したものである。食品ラベル１５は、先の食品ラベル１１よりも小型に作成されている。これは、対象製品１０の大きさや種類、内容量などにより対象製品１０を載せる図示省略のトレーなどの容器の大きさが異なり、「ラベル」を表示するための面積が小さくなった場合、小さくなった面積に合せて食品ラベル１５も小型化する必要があるためである。すなわち、トレー（図示省略）が小さくなって表示面積が小さくなったにも拘らず、大きいトレー（図示省略）に表示していた「ラベル」を表面に表示すると内容物が見にくくなるための措置であり、ラベルを小型化すると値下げ前バーコード１６が食品ラベル１５において占める割合（サイズ）も小さくなる。
本使用例では、値下げ前バーコード１６の天地方向のバーコード幅に見合う突出した第二の目隠し部４の幅Ｌ２の部分にて値下げ前バーコード１６の先端部分を覆い隠すように貼付したものであり、同バーコード１６は確実に読取り不可能な状態になる。
また、突出した第二の目隠し部４により値下げ前バーコード１６の先端部分を覆い隠すようにしたので、取り扱い店名などＪＡＳ法で定められた必要情報は隠されることなく表示されものである。
【００１７】
図５は、更に他の使用例を示す図３相当の説明図である。本使用例では、食品ラベル１１の値下げ前バーコード１３の天地方向のバーコード幅に見合うＬ字形状の短い辺Ｌ４部分にて同バーコード１３の中央部位を覆い隠すように貼付したものである。値下げ前バーコード１３の天地方向のバーコード幅に見合う短辺部Ｌ４にて同バーコード１３の中央部位を覆い隠すようにしたので、「バーコード」としては不連続状態になり、同バーコード１３は確実に読取り不可能な状態になる。
【００１８】
図６および図７に基づき、他の実施の形態を説明する。
なお、以下において、先の実施の形態と同様の部分には同一の符号を付すに止め、詳説を省略する。
図６は、目隠し用ラベルとしてのラベル本体２１が台紙２に複数枚仮着されている状態を示す説明図である。同図に示すように、ラベル本体２１は、矩形状で幅広の第一の目隠し部２３と、同じく区形状で幅狭の第二の目隠し部２４とが長手方向におのおの突出するほぼ凸字形状を呈し連接して一体形成されている。第一の目隠し部２３の幅はＬ１、第二の目隠し部２４の幅はＬ２とされ、かつ、長手方向の長さ（長辺部）は、Ｌ３とされており、上記幅Ｌ１、Ｌ２、Ｌ３は各々、値下げ前バーコード１３の天地方向の「バーコード幅」のうち、よく使用されるバーコード幅より若干大きく形成されている。
次に、主に、図７に基づきラベル本体２１の使用例につき説明する。
ラベル本体２１の第一の目隠し部２３にて食品ラベル１１の値下げ前バーコード１３の先端部分を覆い隠した例を示したものである。すなわち、値下げ前バーコード１３の天地方向のバーコード幅に見合う突出した第一の目隠し部２３の幅Ｌ１の部分にて値下げ前バーコード１３の先端部分を覆い隠すように貼付したものであり、同バーコード１３は確実に読取り不可能な状態になる。
また、ラベル本体２１自体は、長手方向に連接されており、突出した第一の目隠し部２３により値下げ前バーコード１３の先端部分を覆い隠すようにしたとき、他方の第二の目隠し部２４は食品ラベル１１の外側に向けて突出するため、以上のような変形例であっても、消費期限などＪＡＳ法で定められた必要情報は隠されることなく表示されものである。
さらに、第一の目隠し部２３により値下げ前バーコード１３の中央部分を覆い隠すようにしたときは、覆い隠す面積が広がるため、より確実に同バーコード１３を読取り不能とすることができる。
その他の構成、作用、効果については、先の実施の形態と略同様につき詳説を省略する。
【００１９】
なお、上記実施の形態の構成及び動作は例であって、本発明の趣旨を逸脱しない範囲で適宜変更することができることは言うまでもない。
【図面の簡単な説明】
【００２０】
【図１】本発明の実施の形態に係るバーコードの目隠し用ラベルを示す説明図である。
【図２】同、対象商品に食品ラベルと商品値下げラベルが貼付された状態を示す概略斜視説明図である。
【図３】同、バーコードの目隠し用ラベルの貼付方法を示す説明図である。
【図４】同、バーコードの目隠し用ラベルの他の貼付方法を示す説明図である。
【図５】同、バーコードの目隠し用ラベルの、更に他の貼付方法を示す説明図である。
【図６】他の実施の形態のバーコードの目隠し用ラベルを示す説明図である。
【図７】同、バーコードの目隠し用ラベルの貼付方法を示す説明図である。
【符号の説明】
【００２１】
Ｌ１  第一の目隠し部３の幅
Ｌ２  第二の目隠し部４の幅
Ｌ３  Ｌ字形状の長手方向の辺
Ｌ４  Ｌ字形状の短辺方向の辺
１    ラベル本体（第１の実施の形態）
２    台紙
３    幅広の第一の目隠し部
４    幅狭の第二の目隠し部
１０  対象商品
１１  食品ラベル
１２  商品値下げラベル
１３  値下げ前の価格情報を含んだバーコード（値下げ前バーコード）
１４  値下げ価格情報を含んだバーコード（値下げ価格バーコード）
１５  食品ラベル（他の使用例）
１６  値下げ前の価格情報を含んだバーコード（値下げ前バーコード）
２１  ラベル本体（他の実施の形態）
２３  幅広の第一の目隠し部
２４  幅狭の第二の目隠し部
【図１】
2007176558.tif 000003
【図２】
2007176558.tif 000004
【図３】
2007176558.tif 000005
【図４】
2007176558.tif 000006
【図５】
2007176558.tif 000007
【図６】
2007176558.tif 000008
【図７】
2007176558.tif 000009